(57)【要約】【課題】  コンピュータの使用者がコンピュータから離れることを、確実に検知することができる離席検知装置を提供する。【解決手段】  所定信号を受け取ると操作の制限を解除するノートパソコン１００のための離席検知装置であって、ノートパソコン１００を使用する使用者に繋がれ、この使用者を識別するために、あらかじめ決められている凹凸の配列形状または穴の配列形状で形成されている被検知部を具備する鍵２０と、鍵２０が着脱自在であり、装着された鍵状体の被検知部の配列形状をビット列のパターンに変換し、変換したパターンと、あらかじめ記憶しているビット列のパターンとを比較し、２つのパターンが一致したときにのみ、ノートパソコン１００に所定信号を送る脱着判定器１０とを備える。【選択図】  図１
2013114468.tif 000002
【特許請求の範囲】
【請求項１】
所定信号を受け取ると操作の制限を解除するコンピュータのための離席検知装置であって、
前記コンピュータを使用する使用者に繋がれ、この使用者を識別するために、あらかじめ決められている凹凸の配列形状または穴の配列形状で形成されている被検知部を具備する鍵状体と、
前記鍵状体が着脱自在であり、装着された該鍵状体の被検知部の配列形状をビット列のパターンに変換し、変換したパターンと、あらかじめ記憶しているビット列のパターンとを比較し、２つのパターンが一致したときにのみ、前記コンピュータに所定信号を送る脱着判定部と、
を備えることを特徴とする離席検知装置。
【請求項２】
前記鍵状体の被検知部は、あらかじめ決められている鋸歯状の凹凸による配列形状で形成されている、
ことを特徴とする請求項１に記載の離席検知装置。
【請求項３】
前記鍵状体の被検知部は、板状の板面に配置されていると共に、あらかじめ決められている凹凸の配列形状または穴の配列形状で形成されている、
ことを特徴とする請求項１に記載の離席検知装置。
【発明の詳細な説明】
【技術分野】
【０００１】
この発明は、コンピュータの使用者がコンピュータから離れたことを検知する離席検知装置に関する。
【背景技術】
【０００２】
各種の組織体では、従業者がコンピュータを使用して、日常の業務を行っている。こうした組織体では、通常、各従業者が自身に専用のコンピュータや、業務に専用のコンピュータを使用して、業務を行っている。
【０００３】
ところで、業務等でコンピュータを使用している場合に、部外者によるコンピュータの不正使用を防ぐために、コンピュータには例えばＩＣカードを使用したセキュリティ対策が施されている。このセキュリティ対策では、例えば自身に専用のコンピュータを使用する場合に、コンピュータに接続されているＩＣカードリーダにＩＣカードを装着して、パスワード等をコンピュータに入力する。パスワードが適正であると、コンピュータのロックが解除され、コンピュータが使用可能な状態になる。
【０００４】
一方、従業者が業務の打ち合わせ等で短時間、離席をすることがある。このとき、ＩＣカードリーダからＩＣカードを取り外せば問題は発生しない。しかし、ＩＣカードを取り外さないで、離席をするケースもある。この場合には、コンピュータは所定時間の経過後にロック状態になる。これは、数分間の離席の場合の利便性を考慮している。例えば、数分程度の打ち合わせで離席するときにＩＣカードを外し、再び、席に戻ったときにＩＣカードを装着し、パスワード等を入力する、という煩雑さを避けるためである。このときには、ＩＣカードを外さなくても、コンピュータに対する無操作が所定時間続くと、コンピュータがロックされる。
【０００５】
しかし、この所定時間の間に、部外者が入り込んで、ＩＣカードが装着されているコンピュータを使用し、不在の本人に成りすますことが可能である。例えば、本人に成りすまして、不在の本人のパスワードや業務情報を盗用することなどができる。こうした成りすましを防ぐために、赤外線を利用して業務者の着席を判別する装置がある（例えば、特許文献１参照。）。この装置では、コンピュータを使用する業務者に対して赤外線を放射し、業務者からの反射光を基に業務者の着席を判別している。つまり、反射光があれば着席と判別し、反射光がなければ離席と判別する。
【先行技術文献】
【特許文献】
【０００６】
【特許文献１】特開２００２−４１１７７公報
【発明の概要】
【発明が解決しようとする課題】
【０００７】
しかし、先に述べた赤外線による着席を判別する装置には、次の課題がある。コンピュータを使用する使用者である業務者に対して赤外線を放射し、業務者から反射光を受光することにより、確かに業務者の着席は判別可能である。しかし、所定時間内で着席と判別した場合に、着席した者が業務者本人であるかどうかの確認を行うことはできない。つまり、業務者に成りすました部外者が所定時間内に着席しても、この装置は業務者の着席と判別することになる。
【０００８】
この発明の目的は、前記の課題を解決し、コンピュータの使用者がコンピュータから離れることを、確実に検知することができる離席検知装置を提供することにある。
【課題を解決するための手段】
【０００９】
前記の課題を解決するために、請求項１の発明は、所定信号を受け取ると操作の制限を解除するコンピュータのための離席検知装置であって、前記コンピュータを使用する使用者に繋がれ、この使用者を識別するために、あらかじめ決められている凹凸の配列形状または穴の配列形状で形成されている被検知部を具備する鍵状体と、前記鍵状体が着脱自在であり、装着された該鍵状体の被検知部の配列形状をビット列のパターンに変換し、変換したパターンと、あらかじめ記憶しているビット列のパターンとを比較し、２つのパターンが一致したときにのみ、前記コンピュータに所定信号を送る脱着判定部と、を備えることを特徴とする離席検知装置である。
【００１０】
請求項１の発明は、所定信号を受け取ると操作の制限を解除するコンピュータのための離席検知装置である。そして、この離席検知装置では、鍵状体がコンピュータを使用する使用者に繋がれている。さらに、鍵状体は、この使用者を識別するために、あらかじめ決められている凹凸の配列形状または穴の配列形状で形成されている被検知部を具備する。脱着判定部は、鍵状体が着脱自在である。そして、脱着判定部は、装着された該鍵状体の被検知部の配列形状をビット列のパターンに変換し、変換したパターンと、あらかじめ記憶しているビット列のパターンとを比較し、２つのパターンが一致したときにのみ、前記コンピュータに所定信号を送る。
【００１１】
請求項２の発明は、請求項１に記載の離席検知装置において、前記鍵状体の被検知部は、あらかじめ決められている鋸歯状の凹凸による配列形状で形成されている、ことを特徴とする。
【００１２】
請求項３の発明は、において、請求項１に記載の離席検知装置前記鍵状体の被検知部は、板状の板面に配置されていると共に、あらかじめ決められている凹凸の配列形状または穴の配列形状で形成されている、ことを特徴とする。
【発明の効果】
【００１３】
請求項１の発明によれば、着脱判定部に対して鍵状体が着脱自在であり、かつ、着脱判定部が、鍵状体の凹凸の配列をビットパターンに変換し、あらかじめ記憶しているビット列のパターンと一致したときに、コンピュータの使用制限を解除するので、使用者がコンピュータから離れることを、確実に検知することができる。
【００１４】
請求項２の発明によれば、使用者を識別するための鍵状体の被検知部を、鋸歯状の凹凸による配列形状で形成しているので、鍵状体を細長形の小型にすることができ、簡便な取り扱いを可能にする。
【００１５】
請求項３の発明によれば、板状の板面に凹凸の系列形状または穴の配列形状が形成されているので、凹凸または穴の個数を多くすることができ、多数の使用者を識別して、使用者がコンピュータから離れることを検知することができる。
【図面の簡単な説明】
【００１６】
【図１】実施の形態１による離席検知装置の使用状態を示す図である。
【図２】鍵を示す正面図である。
【図３】脱着判定器の外観を示す斜視図である。
【図４】脱着判定器の内部を示す断面図である。
【図５】導通棒を示す正面図である。
【図６】鍵が差し込まれた状態の脱着判定器の内部を示す断面図である。
【図７】鍵が逆に差し込まれた状態の脱着判定器の内部を示す断面図である。
【図８】接触端子に対する接続の様子を示す図である。
【図９】判定処理を示すフローチャートである。
【図１０】判定処理を示すフローチャートである。
【図１１】実施の形態２による離席検知装置の使用状態を示す図である。
【図１２】実施の形態３による脱着判定器の内部を示す断面図である。
【図１３】鍵を示す図であり、図１３（ａ）は鍵本体の正面図、図１３（ｂ）は鍵本体のＩ−Ｉ断面図である。
【図１４】鍵が差し込まれた状態の脱着判定器の内部を示す断面図である。
【図１５】導通棒の配列の様子を示す図である。
【図１６】実施の形態４を説明する説明図である。
【発明を実施するための形態】
【００１７】
次に、この発明の各実施の形態について、図面を用いて詳しく説明する。
【００１８】
（実施の形態１）
この実施の形態による離席検知装置について説明する。図１に示すように、離席検知装置１は、業務用のノートパソコン１００に接続されるカードリーダ２００と共に用いられる。業務用のノートパソコン１００は組織体に所属する従業者である使用者が専用に使用するものであり、原則として他者によるノートパソコン１００の使用は制限されている。このために、通常、ノートパソコン１００のＵＳＢ（Ｕｎｉｖｅｒｓａｌ  Ｓｅｒｉａｌ  Ｂｕｓ）接続部１０１には、カードリーダ２００が接続され、このカードリーダ２００には、ＩＣカード２１０の装着が可能である。ＩＣカード２１０には従業者のパスワード等のデータが書き込まれている。
【００１９】
そして、ノートパソコン１００は、キーボード（図示を省略）から入力されたパスワードと、あらかじめＩＣカード２１０に記憶されているパスワードとが一致したときに、かつ、脱着判定器１０から値「１」の判定信号を受け取ると、使用制限を解除する。このとき、ノートパソコン１００は、カードリーダ２００にアクセスすることで、ＩＣカード２１０に記憶されているパスワードを得る。
【００２０】
逆に、ノートパソコン１００は、パスワードが不一致のとき、または、脱着判定器１０から値「０」の判定信号を受け取ると、使用制限を行う。つまり、ノートパソコン１００は、カードリーダ２００からのパスワードが適正である場合に１つ目のセキュリティが確立され、脱着判定器１０からの値「１」の判定信号を受け取ると、２つ目のセキュリティが確立されたと判断する。そして、両方のセキュリティが確立されると、ノートパソコン１００は使用制限を解除する。
【００２１】
こうしたノートパソコン１００に用いられる離席検知装置１は、脱着判定器１０と鍵２０とで構成されている。
【００２２】
離席検知装置１の鍵２０は鍵本体２１Ａを備え、鍵本体２１Ａが脱着判定器１０に装着可能である。図２に示すように、薄板状の鍵本体２１Ａには、直線状の背部分２１Ａ１があり、この背部分２１Ａ１と向かい合う部分には、鋸歯状の凹凸部分２１Ｂが設けられている。この実施の形態では、２つの頂部２１Ｂ１、２１Ｂ３と、２つの底部２１Ｂ２、２１Ｂ４とが、鋸歯状の凹凸部分２１Ｂを形成している。つまり、頂部２１Ｂ１、２１Ｂ３の幅Ｌ１、Ｌ３と、底部２１Ｂ２、２１Ｂ４の幅Ｌ２、Ｌ４とが、従業者を識別するための、鍵２０のパターンを形成する。この他にも、凹凸部分２１Ｂのパターンは各種ある。
【００２３】
こうした鋸歯状の凹凸部分２１Ｂが形成されている鍵本体２１Ａは、プラスチック等の合成樹脂や金属等で作られている。
【００２４】
鍵２０の鍵本体２１Ａの端部には、丸穴２１Ｃが空けられている。この丸穴２１Ｃには、環状の紐２１Ｄが通されている。この紐２１Ｄは、従業者の首や手などの身体の一部に掛けられるものであり、掛けられる部位によって長さが調節されている。紐２１Ｄによって、鍵２０は、従業者と繋がれ、従業者から離れることはない。例えば、従業者が席を離れて移動するときにも、従業者の首や手に掛けられた鍵２０は従業者と共に移動する。
【００２５】
離席検知装置１の脱着判定器１０には鍵２０の装着が可能であり、脱着判定器１０は図３に示すようにケース１１を備えている。ケース１１は、厚さがＬ１１、縦の長さがＬ１２、横の長さがＬ１３である。縦の長さＬ１２は、ノートパソコン１００の側面の高さとほぼ同じである。縦の長さがＬ１２であり横の長さがＬ１３である側面１１Ａが、ノートパソコン１００の側面に貼り付けられている。つまり、脱着判定器１０はノートパソコン１００に取り付けられて用いられる。脱着判定器１０のケース１１の正面１１Ｂには、出し入れ口１１Ｃが空けられている。
【００２６】
出し入れ口１１Ｃは、鍵２０を出し入れするために設けられている。出し入れ口１１Ｃは、図４に示すように、収納部１１Ｄに続いている。収納部１１Ｄは、鍵２０を収納するためにケース１１に設けられ、収納部１１Ｄにより、凹形をした奥行きのある薄板形の穴が形成されている。収納部１１Ｄは、ケース１１の内側に、かつ、ケース１１と一体で設けられている。収納部１１Ｄの長さ方向Ａに差し込まれた鍵２０の背部分２１Ａ１と向かい合う、収納部１１Ｄの一方の細長面１１Ｄ１の内部には、複数のボール１１Ｄ１１が設けられている。各ボール１１Ｄ１１は、細長面１１Ｄ１から脱落しないように、その半分より多い部分がケース１１内に、かつ、回転自在に、ケース１１に収納されている。複数のボール１１Ｄ１１は、鍵２０の動きを滑らかにするために設けられている。なお、図４では、紐２１Ｄを省略している。
【００２７】
収納部１１Ｄの一方の細長面１１Ｄ１と幅方向Ｂで向かい合う、他方の細長面１１Ｄ２には、円筒形をした複数の貫通穴１１Ｄ２１〜１１Ｄ２６が等間隔で空けられている。これらの貫通穴１１Ｄ２１〜１１Ｄ２６は、鍵２０の凹凸部分２１Ｂと向かい合うように、設けられている。さらに、貫通穴１１Ｄ２１〜１１Ｄ２６と向かい合うように、収納部１１Ｄの内壁には、円筒形の保持部１１Ｄ３１〜１１Ｄ３６が、ケース１１と一体で設けられている。保持部１１Ｄ３１〜１１Ｄ３６は、導通棒１３１〜１３６を収めるものであり、貫通穴１１Ｄ２１〜１１Ｄ２６と共に導通棒１３１〜１３６を、移動可能に保持する。円筒形の保持部１１Ｄ３１〜１１Ｄ３６の端面には、一対の球状の接触端子１２がそれぞれ固定されている。各接触端子１２は、電気的な導通を調べるために、２つ１組で設けられている。なお、図４では、図面の都合上、保持部１１Ｄ３１の端面に設けられている接触端子１２と、保持部１１Ｄ３６の端面に設けられている接触端子１２に符号を付けているが、保持部１１Ｄ３２〜１１Ｄ３５についても同様である。
【００２８】
導通棒１３１〜１３６は、出し入れ口１１Ｃ付近から奥に向かって、つまり、長さ方向Ａに向かって、一列に並んで配置されている。導通棒１３１〜１３６は同じものであるので、導通棒１３１を代表例として説明する。導通棒１３１は、図５に示すように、本体部１３１１と、円板部１３１２と、導体部１３１３と、ボール１３１４とで構成されている。本体部１３１１は、円柱形をした絶縁体、例えば合成樹脂で作られている。本体部１３１１の一端部分にはボール１３１４が設けられている。ボール１３１４は、本体部１３１１の先端から脱落しないように、その半分より多い部分が本体部１３１１内に、かつ、回転自在に、本体部１３１１に収納されている。ボール１３１４は、鍵２０の動きを滑らかにするために設けられている。円板部１３１２は、本体部１３１１のほぼ中央位置に、本体部１３１１と一体で設けられている。円板部１３１２は、ケース１１の貫通穴１１Ｄ２１と保持部１１Ｄ３１とに装着された導通棒１３１の動きを制限している（図４）。本体部１３１１と円板部１３１２との間には、本体部１３１１を一周するように、導体部１３１３が巻かれて設けられている。導体部１３１３は、金属等のような、電気を通すものであればよい。
【００２９】
導通棒１３１〜１３６は、ボール１３１４が設けられている、一方の端部が貫通穴１１Ｄ２１〜１１Ｄ２６をそれぞれ通り、かつ、他方の端部がスプリング１４を介在して保持部１１Ｄ３１〜１１Ｄ３６に差し込まれている。導通棒１３１〜１３６の他方の端部は、スプリング１４によって収納部１１Ｄの方向に押されるが、円板部１３１２によって、収納部１１Ｄには深く入り込まない。つまり、導通棒１３１〜１３６は、保持部１１Ｄ３１〜１１Ｄ３６のスプリング１４によって、収納部１１Ｄに向かって押され、かつ、円板部１３１２によって、収納部１１Ｄの外壁で止まっている。これにより、導通棒１３１〜１３６は、図６に示すように、鍵２０が収納部１１Ｄに差し込まれると、鍵２０の凹凸部分２１Ｂに応じて、ケース１１の幅方向Ｂに動く。なお、鍵２０の逆差しは、図７に示すように、出し入れ口１１Ｃ側に設けられている導通棒１３６により阻止される。
【００３０】
ケース１１の保持部１１Ｄ３１〜１１Ｄ３６に設けられている接触端子１２は、先に述べたように、電気的な導通を調べるためのものである。このために、図８に示すように、一対の各接触端子１２は、処理回路１５に電気的に接続されて、処理回路１５により電圧が加えられている。なお、図８では、破線の四角形で一対であることを表している。一対の各接触端子１２には電圧が加えられているので、例えば導通棒１３１の導体部１３１３が一対の接触端子１２の間に位置すると、この導体部１３１３により接触端子１２の間が導通して電流ｉが流れる。導通棒１３１は、鍵２０の凹凸部分２１Ｂに応じて、ケース１１の幅方向Ｂに動くので、結果として、鍵２０の凹凸部分２１Ｂに応じて、各一対の接触端子１２が導通または非導通になる。
【００３１】
各一対の接触端子１２に電圧を加える処理回路１５は、インターフェース１５Ａ、１５Ｃと、処理部１５Ｂとで構成されている。インターフェース１５Ａは、各一対の接触端子１２と処理回路１５ｂとの間の接続を可能にし、インターフェース１５Ｃは、ノートパソコン１００との接続を可能にする。特に、インターフェース１５Ｃは、ＵＳＢ接続を可能にするものであり、ノートパソコン１００とシリアルで信号のやり取りをすると共に、ノートパソコン１００からの電圧供給を受ける。
【００３２】
処理部１５Ｂは、ＣＰＵ（Ｃｅｎｔｒａｌ  Ｐｒｏｃｅｓｓｉｎｇ  Ｕｎｉｔ）のような処理手段と、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）のような、データや処理手順を保存する記憶手段とを持つ。
【００３３】
処理部１５Ｂは、従業者に与えられた鍵２０に対応するビット列の値をあらかじめ保存している。例えば、処理部１５Ｂはビット列として、「１１００１０」のような値を保存している。このビット列の値は、ノートパソコン１００を利用する従業者に固有のものである。処理部１５Ｂは、従業者に固有のビット列の値を、１つだけ保存している。
【００３４】
処理部１５Ｂは、インターフェース１５Ｃがノートパソコン１００から供給される電圧で、その動作を開始する。処理部１５Ｂは、動作を開始すると、ケース１１の保持部１１Ｄ３１〜１１Ｄ３６に設けられている各一対の接触端子１２を、インターフェース１５Ａを経て利用し、離席検知のための判定処理を行う。つまり、図９と図１０とに示すように、処理部１５Ｂは、各一対の接触端子１２の中から、最初の一対の接触端子１２を選択する（ステップＳ１）。次に、処理部１５Ｂは、ステップＳ１で選択した一対の接触端子１２に対応するビットを、ビット列の中から選択する（ステップＳ２）。この後、処理部１５Ｂは、ステップＳ１で選択した一対の接触端子１２に電圧を加える（ステップＳ３）。この後、処理部１５Ｂは、この一対の接触端子１２に流れる電流を調べ（ステップＳ４）、電流の有無を判別する（ステップＳ５）。
【００３５】
ステップＳ５で電流があると、処理部１５Ｂは、ステップＳ２で選択したビットの値を「１」にする（ステップＳ６）。一方、ステップＳ５で電流がないと、処理部１５Ｂは、ステップＳ２で選択したビットの値を「０」にする（ステップＳ７）。つまり、ビットの値「１」は、鍵２０の鍵本体２１Ａの凹部分に対応し、ビットの値「０」は、鍵２０の鍵本体２１Ａの凸部分に対応している。
【００３６】
ステップＳ６またはステップＳ７が終了すると、処理部１５Ｂは、各一対の接触端子１２を調べて（ステップＳ８）、未選択のものがあるかどうかを判別する（ステップＳ９）。ステップＳ９で未選択の一対の接触端子１２があると、処理部１５Ｂは、残りの各一対の接触端子１２の中から、次の一対の接触端子１２を選択し（ステップＳ１０）、処理をステップＳ２に戻す。
【００３７】
こうしたステップＳ５〜Ｓ１０の処理により、処理部１５Ｂは、脱着判定器１０に鍵２０が差し込まれたときに、主に鍵２０と導通棒１３１〜１３６とにより、ビット列の値を生成する。この実施の形態では、６ビットで形成される値を生成する。なお、鍵２０と導通棒１３１によって生成される値を最下位桁としてもよく、また、最上位桁としてもよい。どの桁を最上位桁とし、どの桁を最下位桁とするかは任意である。この実施の形態では、鍵２０と導通棒１３１とによって生成される値を、ビット列の最上位桁としている。
【００３８】
一方、ステップＳ９で未選択の一対の接触端子１２がないと判別すると、処理部１５Ｂは、あらかじめ保存してあるビット列の値を読み出す（ステップＳ１１）。この後、処理部１５Ｂは、先のステップＳ５〜Ｓ１０で生成されたビット列の値と、ステップＳ１１で読み出したビット列の値とを比較し（ステップＳ１２）、２つの値が一致すると（ステップＳ１３）、値「１」の判定信号をノートパソコン１００に出力して（ステップＳ１４）、判定処理を終了する。一方、ステップＳ１３で、読み出したビット列の値と、生成したビット列の値とが不一致であると、処理部１５Ｂは、値「０」の判定信号をノートパソコン１００に出力して（ステップＳ１５）、判定処理を終了する。
【００３９】
処理部１５Ｂは、こうした判定処理を、ノートパソコン１００に対する接続時に行った後、例えば５分に１度のように、所定時間毎に行うようにしてもよい。また、処理部１５Ｂは、接続時に判定処理を行った後、ビット列の値の変化を監視し、ビット列の値が変化したときに、判定処理を行うようにしてもよい。もちろん、鍵２０が抜き取られると、判定処理で生成されるビット列は全て値「０」となり、脱着判定器１０は、値「０」の判定信号をノートパソコン１００に出力する。
【００４０】
次に、この実施の形態による離席検知装置の作用について説明する。組織体の従業者は、自身に対応した固有の鍵２０を、あらかじめ所持している。鍵２０の凹凸部分２１Ｂは、他の従業者が所有する鍵と異なり、この従業者に固有の凹凸形状をしてる。この実施の形態では、脱着判定器１０が導通棒を６本備えているので、鍵２０の判別可能なビット数は６４（＝２６）通りになる。なお、導通棒が７本になれば、鍵２０の判別可能なビット数は当然１２８（＝２７）通りになる。
【００４１】
こうした状態で、従業者が業務を開始する際に、ノートパソコン１００のＵＳＢ接続部１０１に接続されているカードリーダ２００に、自分のＩＣカード２１０を装着する。この後、従業者は、ノートパソコン１００を操作して、パスワードを入力する。もし、入力されたパスワードが適正であると、ノートパソコン１００は、１つ目のセキュリティが確立されたと判断する。この後、ノートパソコン１００は、次のセキュリティの確立を待つ。
【００４２】
次に、従業者は、ノートパソコン１００のＵＳＢ接続部１０１に接続されている脱着判定器１０に、例えば自身の首から紐２１Ｄで下げた鍵本体２１Ａを装着する。これにより、脱着判定器１０は動作を始めて、判定処理を開始する。この判定処理により、脱着判定器１０は、装着された鍵本体２１Ａの凹凸部分２１Ｂに対応するビット列の値を生成する。そして、あらかじめ保存しているビット列の値と、生成したビット列の値とが一致すると、値「１」の判定信号をノートパソコン１００に出力する。
【００４３】
ノートパソコン１００は、値「１」の判定信号を脱着判定器１０から受け取ると、２つ目のセキュリティが確立されたと判断して使用制限を解除する。これにより、従業者はノートパソコン１００の使用可能な状態になる。
【００４４】
ところで、従業者が一時的に席を離れると、鍵本体２１Ａが例えば従業者の首から紐２１Ｄで下げられているので、従業者の離席と共に鍵本体２１Ａが脱着判定器１０から外れる。このとき、鍵２０は、収納部１１Ｄに回転自在に設けられているボール１１Ｄ１１と、導通棒１３１〜１３６に回転自在に設けられている各ボール１３１４とによって、抵抗が少なく滑らかにケース１１の長さ方向Ａと逆方向に動く。これにより、従業者は紐２１Ｄで首等が引っ張られて強い違和感を感じることなく、鍵本体２１Ａはスムーズにケース１１から抜け出る。
【００４５】
そして、鍵本体２１Ａが外れると、脱着判定器１０は値「０」の判定信号をノートパソコン１００に出力する。これにより、２つのセキュリティの中の１つが確立されなくなるので、ノートパソコン１００は使用制限を行う。つまり、従業者の離席検知を行って、ノートパソコン１００をロックすることができる。
【００４６】
こうして、この実施の形態によれば、従業者の手で着脱が必要なＩＣカード２１０とは別に、従業者と紐２１Ｄで結ばれた鍵本体２１Ａと、ノートパソコン１００の側部に取り付けられている脱着判定器１０とを利用することで、従業者の離席時に、紐２１Ｄで結ばれた鍵本体２１Ａが簡単に抜けて、離席を検知することができる。これにより、「成りすまし」防止レベルを確保することができる。
【００４７】
また、脱着判定器１０のみでも、無操作検知による「成りすまし」防止についても、高いレベルの「成りすまし」防止を実現することができる。つまり、ノートパソコン１００は、無操作が所定時間続くと、キーボード操作をロックするが、この所定時間が経過するまでの間、「成りすまし」によるノートパソコン１００の操作が可能である。
【００４８】
さらに、この実施の形態によれば、鍵２０の鍵本体２１Ａを鋸歯状の凹凸で凹凸部分２１Ｂを形成したので、鍵本体２１Ａを細長形状にして小型化することができ、鍵２０を首から下げても、邪魔になることがなく、簡便な扱いを可能にする。
【００４９】
（実施の形態２）
この実施の形態による離席検知装置について説明する。なお、この実施の形態では、先に説明した実施の形態１と同一もしくは同一と見なされる構成要素には、それと同じ参照符号を付けて、その説明を省略する。図１１に示すように、離席検知装置１は、実施の形態１と同様にカードリーダ２００とＩＣカード２１０とを利用するものであり、脱着判定器１０と鍵２０と接続装置３０とを備えている。
【００５０】
接続装置３０は、複数のＵＳＢ機器をノートパソコン１００に接続するためのハブのような装置である。この実施の形態では、接続装置３０は、カードリーダ２００と脱着判定器１０とをノートパソコン１００のＵＳＢ接続部１０１に接続している。
【００５１】
この実施の形態では、離席検知装置１の脱着判定器１０は、実施の形態１と同様に、ノートパソコン１００のＵＳＢ接続部１０１に接続可能なＵＳＢ機器であるが、さらに、脱着判定器１０の処理回路１５は、ＵＳＢに対応した別のＵＳＢ機器とデータ交換するための機能（規格）を備えている。
【００５２】
同じように、カードリーダ２００は、ＵＳＢに対応した別のＵＳＢ機器とデータ交換するための機能（規格）を備えている。つまり、脱着判定器１０とカードリーダ２００とが接続装置３０に接続されていると、カードリーダ２００は、接続装置３０を経て、脱着判定器１０の処理回路１５とデータ交換が可能な状態にある。
【００５３】
そして、カードリーダ２００は、ＵＳＢ機器同士のデータ交換機能により、脱着判定器１０の処理回路１５から値「０」の判定信号を受け取ると、ＩＣカード２１０の未装着と判断する。これにより、カードリーダ２００は、ＩＣカード２１０が装着されていても、ＩＣカード２１０の未装着を表す信号をノートパソコン１００に出力する。逆に、カードリーダ２００は、脱着判定器１０の処理回路１５から値「１」の判定信号を受け取ると、通常の動作、つまり、ノートパソコン１００からのアクセスが可能な状態になる。
【００５４】
ノートパソコン１００は、カードリーダ２００からＩＣカード２１０の未装着を表す信号を受け取ると、使用制限を行うことになる。
【００５５】
このようにして、この実施の形態によれば、離席検知装置１はカードリーダ２００を利用することにより、鍵２０が脱着判定器１０から取り外されると、カードリーダ２００がＩＣカード２１０の未装着を表す信号をノートパソコン１００に出力する。これにより、実施の形態１と同様に、従業者が離席すると、ノートパソコン１００の使用制限を行うことができる。
【００５６】
（実施の形態３）
この実施の形態では、鍵２０として、直線状に形成された鋸歯状つまり凹凸形状の鍵本体２１Ａの代わりに、図１２に示すように、平面状に形成された凹凸形状の板状の鍵本体２２Ａが使用されている。なお、この実施の形態では、先に説明した実施の形態１と同一もしくは同一と見なされる構成要素には、それと同じ参照符号を付けて、その説明を省略する。
【００５７】
鍵本体２２Ａは、図１３（ａ）と図１３（ｂ）に示すように、薄い板状の長方形をしている。鍵本体２２Ａの坂面２２Ｂには、坂面２２Ｂの長辺方向と短辺方向との各所定位置が設定されている。この実施の形態では、縦横に配置された一転鎖線（図１３（ａ））の交差する所が所定位置２２Ｃ１〜２２Ｃ９になる。さらに、所定位置２２Ｃ１〜２２Ｃ９には、従業者を識別するために、貫通穴２２Ｄのパターンが形成されている。つまり、所定位置２２Ｃ１〜２２Ｃ９に貫通穴２２Ｄを空けるか空けないかで、貫通穴２２Ｄのパターンが形成される。なお、図１３（ａ）では、図面の複雑化を避けるために、代表的な貫通穴に符号「２２Ｄ」を付けている。また、この実施の形態では、貫通穴２２Ｄを用いたが、この代わりに円形状の凹部つまり窪みであってもよい。
【００５８】
貫通穴２２Ｄのパターンとしては、貫通穴２２Ｄが空けられている所定位置が値「１」のビットに対応し、貫通穴２２Ｄが空けられていない所定位置が値「０」のビットに対応する。
【００５９】
鍵本体２２Ａの坂面２２Ｂには、実施の形態１と同じように、丸穴２２Ｅが空けられて、丸穴２２Ｅに紐２１Ｄが通されている。なお、図１３（ｂ）では、紐２１Ｄの図示を省略している。
【００６０】
鍵２０の鍵本体２２Ａが装着される脱着判定器１０では、導通棒が平面状に散在して配列されている。つまり、図１４に示すように、装着された鍵本体２２Ａの所定位置２２Ｃ１〜２２Ｃ９と向かい合うように、図１５に示すように、所定位置２２Ｃ１〜２２Ｃ９と同数の導通棒１３１〜１３９が、実施の形態１と同じように、収納部１１Ｄに保持されている。
【００６１】
導通棒１３１〜１３９用の各一対の接触端子１２は、実施の形態１と同様に、処理回路１５に接続されている。そして、処理回路１５は、例えば導通棒１３１が鍵本体２２Ａの貫通穴２２Ｄに入って、一対の接触端子１２に電流が流れなくなると、ビットを値「１」にする。逆に、例えば導通棒１３３のように、鍵本体２２Ａに貫通穴２２Ｄがない場合には、一対の接触端子１２に電流が流れ、ビットを値「０」にする。
【００６２】
処理回路１５は、実施の形態１と同様の判定処理を行い、読み出したビット列の値と生成したビット列の値とが一致すると、値「１」の判定信号をノートパソコン１００に出力し、２つの値が不一致であると、値「０」の判定信号をノートパソコン１００に出力する。
【００６３】
また、処理回路１５は、従業者が離籍する場合の離席検知も、実施の形態１と同様に行うことができる。
【００６４】
こうして、この実施の形態によれば、鍵本体２２Ａの所定位置が９個あるので、５１２（＝２９）種類の判別を可能にする。つまり、この実施の形態によれば、鍵本体２２Ａの坂面２２Ｂに９個の所定位置を配置したので、実施の形態１に比べて更に多くの従業者の「成りすまし」防止を可能にする。
【００６５】
なお、この実施の形態では、鍵本体２２Ａの装着方向を長さ方向Ａとしたが、これに限定されることはない。例えば、鍵２０の装着方向としては、図１２の紙面に対して、直角方向からとしてもよい。
【００６６】
（実施の形態４）
この実施の形態では、実施の形態の３で用いた板状の鍵本体２２Ａの代わりに、断面形状が例えば円形や楕円形をした筒状の鍵本体を用いる。なお、この実施の形態では、実施の形態３と同一もしくは同一と見なされる構成要素には、それと同じ参照符号を付けて、その説明を省略する。断面形状が円形である場合の鍵本体２３Ａを、図１６に示す。この鍵本体２３Ａは、実施の形態３の薄い板状の長方形の鍵本体２２Ａを、筒状にしたものである。つまり、鍵本体２３Ａの円筒面２３Ｂには、鍵本体２３Ａの周方向と軸方向とが交差した所に、各所定位置が設定されている。そして、所定位置に貫通穴２３Ｃを空けるか空けないかで、円筒面２３Ｂに貫通穴２３Ｃのパターンが形成される。
【００６７】
さらに、この実施の形態では、脱着判定器１０の導通棒１３１〜１３９が、装着された鍵本体２３Ａの円筒面２３Ｂの所定位置と向かい合うように、かつ、導通棒１３１〜１３９の長手方向が円筒面２３Ｂと交差するように、ケース１１の収納部１１Ｄに配置されている。同じように、導通棒１３１〜１３９用の各１対の接触端子１２等も、同じように配置されている。
【００６８】
こうして、この実施の形態によれば、円筒形にした鍵本体２３Ａを離席検知装置１の脱着判定器１０に装着して用いることができる。また、円筒形をした鍵本体２３Ａを用いるので、実施の形態３に比べて、鍵本体２３Ａを小型化することができる。
【符号の説明】
【００６９】
１０  脱着判定器（脱着判定部）
１１  ケース
１１Ａ  側面
１１Ｂ  正面
１１Ｃ  出し入れ口
１１Ｄ  収納部
１２  接触端子
１３１〜１３６  導通棒
１４  スプリング
１５  処理回路
１５Ａ、１５Ｃ  インターフェース
１５Ｂ  処理部
２０  鍵（鍵状体）
２１Ａ  鍵本体
２１Ｂ  凹凸部分（被検知部分）
２１Ｃ  丸穴
２１Ｄ  紐
２２Ａ  鍵本体
２２Ｂ  坂面
２２Ｄ  貫通穴
２２Ｅ  丸穴
２３Ａ  鍵本体
２３Ｂ  円筒面
２３Ｃ  貫通穴
３０  接続装置
１００  ノートパソコン（コンピュータ）
２００  カードリーダ
２１０  ＩＣカード
【図１】
2013114468.tif 000003
【図２】
2013114468.tif 000004
【図３】
2013114468.tif 000005
【図４】
2013114468.tif 000006
【図５】
2013114468.tif 000007
【図６】
2013114468.tif 000008
【図７】
2013114468.tif 000009
【図８】
2013114468.tif 000010
【図９】
2013114468.tif 000011
【図１０】
2013114468.tif 000012
【図１１】
2013114468.tif 000013
【図１２】
2013114468.tif 000014
【図１３】
2013114468.tif 000015
【図１４】
2013114468.tif 000016
【図１５】
2013114468.tif 000017
【図１６】
2013114468.tif 000018